(57)【要約】【課題】  内容器ができるだけシンプルでかつ低コストで生産できる形状としながらも、本体容器から脱落しないような構成を有する二重容器であって、さらに内容器の着脱が容易な二重容器を提供する。【解決手段】  蓋と、本体容器と、内容器から構成される二重容器であって、  前記蓋は、内側にリング状にリブを有し、前記本体容器は内壁頂部の円周上にＬ字状の段差を有し、前記Ｌ字状の段差の垂直部分の一部にはストッパーリブが設けられ、前記内容器は肉薄に形成され、開口部にフランジを有し、  前記ストッパーリブは、前記フランジが前記ストッパーリブの下に嵌合して前記内容器が前記本体容器から脱落するのを防止するように機能し、  前記リブは前記内容器の開口部内壁に接し、外側へ押さえるように機能することを特徴とする。【選択図】  図６
2011116401.tif 000002
【特許請求の範囲】
【請求項１】
蓋と、本体容器と、内容器から構成される二重容器であって、
前記蓋は、内側にリング状にリブを有し、前記本体容器は内壁頂部の円周上にＬ字状の段差を有し、前記Ｌ字状の段差の垂直部分の一部にはストッパーリブが設けられ、前記内容器は肉薄に形成され、開口部にフランジを有し、
前記ストッパーリブは、前記フランジが前記ストッパーリブの下に嵌合して前記内容器が前記本体容器から脱落するのを防止するように機能し、
前記リブは前記内容器の開口部内壁に接し、外側へ押さえるように機能することを特徴とする二重容器。
【請求項２】
前記ストッパーリブは前記内容器内壁頂部の円周上の対向する２箇所に設けられることを特徴とする請求項１記載の二重容器。
【請求項３】
前記本体容器の壁面は、一部に切り欠き部を有することを特徴とする請求項１又は２記載の二重容器。
【請求項４】
前記本体容器の底面に穴を設けることを特徴とする請求項１又は２記載の二重容器。
【発明の詳細な説明】
【技術分野】
【０００１】
本発明は、クリーム等の化粧品や薬剤を収容するための二重容器に関する。
【背景技術】
【０００２】
従来から、環境に配慮し、ゴミを減量することなどを目的として、パウチや軽量の容器などに充填された詰め替え用化粧品類が販売されている。しかしながら、このような詰め替え用化粧品類を直接本体容器に詰めると、詰め替えの操作で雑菌が混入するおそれがある上に、本体容器を繰り返し使用すると本体容器に汚れが蓄積するので、雑菌の繁殖の温床となり、衛生的でないという問題がある。
【０００３】
そこで、本体容器の内側に着脱可能な内容器を収容して使用する二重容器が提案されている。二重容器とすることで衛生的に詰め替えを行うことができ、上記のような問題を回避することができる。また、本体容器を透明あるいは半透明とし、内容器に色彩を施すことにより、容器全体としての美観を高めることができるという利点もある。
【０００４】
ここで、二重容器の内容器は使い捨てであるので、できるだけシンプルな構造で低コストで生産できることが望ましい。
【先行技術文献】
【特許文献】
【０００５】
【特許文献１】特開２００３−４０３３１号公報
【発明の概要】
【発明が解決しようとする課題】
【０００６】
しかしながら、密封性を維持したり、本体容器から内容器が脱落するのを防止したりするためには、内容器に補強リングや弾性部材などの他の部材を必要とするため、内容器の着脱が単純でなく、生産効率やコストの面からも改良の余地があった。
【０００７】
そこで、本発明では、上記の問題を解決すべく、内容器ができるだけシンプルでかつ低コストで生産できる形状としながらも、本体容器から脱落しないような構成を有する二重容器であって、さらに内容器の着脱が容易な二重容器を提供することを目的とする。
【課題を解決するための手段】
【０００８】
本発明の二重容器は、蓋と、本体容器と、内容器から構成され、前記蓋は、内側にリング状にリブを有し、前記本体容器は内壁頂部の円周上にＬ字状の段差を有し、前記Ｌ字状の段差の垂直部分の一部にはストッパーリブが設けられ、前記内容器は肉薄に形成され、開口部にフランジを有し、前記ストッパーリブは、前記フランジが前記ストッパーリブの下に嵌合して前記内容器が前記本体容器から脱落するのを防止するように機能し、前記リブは前記内容器の開口部内壁に接し、外側へ押さえるように機能することを特徴とする。
【０００９】
また、ストッパーリブは内容器内壁頂部の円周上の対向する２箇所に設けられる。さらに、本体容器の壁面の一部に切り欠き部を有することを特徴とする。もしくは、本体容器の底面に穴を設けることを特徴とする。
【発明の効果】
【００１０】
本発明の二重容器は、蓋と、本体容器と、内容器から構成されるため、化粧品や薬剤は内容器に充填され、化粧品や薬剤が無くなったときには使用済み内容器を新たな内容器に交換することで化粧品や薬剤の補充ができる。本体容器には化粧品や薬剤は直接付着しないので、蓋と本体容器を衛生的に再利用することができる。
【００１１】
また、本発明の二重容器は、蓋の内側にリング状にリブを有し、本体容器の内壁頂部の円周上にＬ字状の段差を有し、その段差の垂直部分の一部にストッパーリブが設けられ、内容器の開口部にフランジを有し、ストッパーリブは、フランジがストッパーリブの下に嵌合して内容器が本体容器から脱落するのを防止するように機能し、リブは内容器の開口部内壁に接し、外側へ押さえるように機能することを特徴とすることにより、ストッパーリブとリブの働きで、内容器の浮き上がりを抑え、本体容器から脱落することを防止することができる。このため、本発明の二重容器は内容器の脱落防止のために他の部品を要せず、そのような他の部品を取り付ける手間が不要なため、取り付けや取り外しが簡単である。
【００１２】
さらに、このような構成を採用することにより、内容器は肉薄で非常にシンプルな形状とすることができるため低コストで製造することができる。内容器を配するとその分二重容器全体の重量が増加することになるが、内容器を肉薄とすることで、二重容器を構成した際の重量増加分を著しく軽減することができる。また、肉薄とすることで廃棄されるゴミを減量することができる。
【００１３】
また、ストッパーリブは内容器内壁頂部の円周上の対向する２箇所に設けられることで、フランジの浮き上がりを効果的に抑えることができる。
【００１４】
また、前記本体容器の壁面の一部に切り欠き部を有することにより、容易に内容器の取り付け及び取り外しを行うことができる。同様に、前記本体容器の底面に穴を設けることにより、容易に内容器の取り付け及び取り外しを行うことができる。
【図面の簡単な説明】
【００１５】
【図１】本発明の第一実施例に係る二重容器の外観を示した図である。（ａ）は分解斜視図、（ｂ）は蓋を締めた状態の二重容器を示す斜視図である。
【図２】本発明の第一実施例に係る本体容器を示した図である。（ａ）は平面図、（ｂ）は底面図、（ｃ）は本体容器の内側に内容器を配置した状態を示す半側面、半断面図である。
【図３】本体容器の内側に内容器を配置した状態を示す一部拡大断面図である。
【図４】本発明に係る蓋を示した図である。（ａ）は平面図、（ｂ）は底面図、（ｃ）は半側面、半断面図である。
【図５】本発明に係る蓋の一部拡大断面図である。
【図６】蓋を締めた状態の二重容器における、各部品の位置関係を示した図である。左半分は本体容器の側面図と蓋の断面図によって本体容器と蓋の位置関係を示し、右半分は、蓋を締めた状態の二重容器における、蓋、本体容器、内容器の位置関係を断面図によって示す。
【図７】本発明の第二実施例に係る二重容器の外観を示した図である。（ａ）は分解斜視図、（ｂ）は蓋を締めた状態の二重容器を示す斜視図である。
【図８】本発明の第二実施例に係る本体容器を示した図である。（ａ）は平面図、（ｂ）は底面図、（ｃ）は本体容器の内側に内容器を配置した状態を示す半側面、半断面図である。
【発明を実施するための形態】
【００１６】
本発明を、図を用いて以下に詳細に説明する。
【実施例１】
【００１７】
図１は、本発明の第一実施例に係る二重容器１の外観を示した図であり、（ａ）は二重容器１を部品ごとに分解した状態を示す斜視図である。本発明の二重容器１は、本体容器２、蓋３及び内容器４から構成され、化粧品や薬剤を充填した内容器４を本体容器２の内側に取り付けた状態で使用されるものである。内容器４を本体容器２の内側に取り付け、蓋３を締めると（ｂ）に示す状態となる。
【００１８】
内容器４は使い捨ての容器であり、厚さ０．３〜０．５ｍｍ程度の肉薄に形成される。肉薄に形成することで材料コストを抑えることができ、二重容器１を構成した際の重量増加分を著しく軽減することができる。また、使用済みの内容器４は廃棄されるが、肉薄とすることでゴミを減量することができる。
【００１９】
内容器４の開口部には、外方に拡径されたフランジ６が設けられる。後述するようにフランジ６は、内容器４を本体容器２に取り付けたときに、本体容器２のストッパーリブ５の下に嵌合し、内容器４が不意に脱落することを防止する。また、フランジ６を指で掴んだり外周を指で挟んだりすることにより内容器４を保持することができるため、内容器４の取り付け又は取り外しの際に内容器４の内側に触れることがなく、衛生的である。特に、取り外しの際には、本体容器２の切り欠き部８からフランジ６の下に指を入れ、押し上げるようにして内容器４を取り出すことができるので、内容器４の内側に触れることがなく、指を化粧品や薬剤で汚すおそれがない。
【００２０】
図２は第一実施例に係る本発明の本体容器２を示している。本体容器２の外壁には雄ねじ７が設けられ、蓋３の雌ねじ１２と嵌合する。本体容器２の内壁頂部にはＬ字状の段差が形成され、その段差の水平部分に内容器４のフランジ６が載置される。また、Ｌ字状の段差の垂直部分の一部に凸状のストッパーリブ５が設けられる。図３に示すように、ストッパーリブ５の下に内容器４のフランジ６が嵌合することでフランジ６が浮き上がるのを抑え、内容器４が不意に本体容器２から脱落するのを防ぐことができる。フランジ６の浮き上がりを効果的に抑えるためには、ストッパーリブ５は図２（ａ）のように内壁円周上の対向する２箇所に設けられるのが好ましい。
【００２１】
また、第一の実施例では、図１（ａ）及び図２（ａ）に示すように、本体容器２の壁面の一部は切り欠いた状態（切り欠き部８）となっている。この切り欠き部８により内容器４の取り付け及び取り外しが容易になる。すなわち、内容器４を取り付ける際には、フランジ６を掴んだ指を切り欠き部８から入れることができ、フランジ６がストッパーリブ５の下に挿入するようにＬ字状の段差の水平部分に装着することができる。また、内容器４を取り外す際には、本体容器２の切り欠き部８からフランジ６の下に指を入れ、押し上げるようにして内容器４を取り出すことができるので、内容器４の内側に触れることがなく、指先を化粧品や薬剤で汚すおそれがない。
【００２２】
尚、本体容器２は、図２（ｃ）に示すように、底部を有する円筒状のジャー９とジャー９の周囲に張り出して設けられる脚部１０を有する構成とすることができる。この場合、ジャー９と脚部１０の間は、埋めると肉厚となるため、成形の際のヒケを防ぐために（ｂ）に斜線で示すように肉盗み１１とするとよい。
【００２３】
図４は、本発明に係る蓋３を示している。蓋３の内側には、本体容器２と嵌合する雌ねじ１２をリング状に有し、そのリングの内側にリング状にリブ１３を有する。リブ１３は、図６に示すように、蓋３を締めたときに、内壁部４の開口部内壁に接し、外側へ押さえる機能を有するため、内容器４をリブ１３と本体容器２の内壁との間に挟み込むことにより、振動や落下によっても内容器４が本体容器から脱落するのを防止することができる。また、図５に示すように、リブ１３の外側縁に、内容器４の開口部内壁の傾斜に沿うように勾配１４を設けると、内容器４の開口部内壁を均一に押さえることができるので好ましい。
【００２４】
蓋３、本体容器２、内容器４はいずれもポリプロピレン樹脂等が適用できるが、これに限定されず、ポリエチレンテレフタレート等、必要に応じて適宜変更することができる。
【実施例２】
【００２５】
図７は第二の実施例に係る本発明の二重容器１’の外観を示す図であり、図８は第二の実施例に係る二重容器１’の本体容器２’を示す図である。二重容器１’において、本体容器２’は、壁面の一部に切り欠き部を有する代わりに底面に穴１５を有する構成となっており、それ以外は第一の実施例と同じである。本体容器２’の底面に穴１５を有することによって、内容器４を取り外す際に底面から押し上げることができ、内容器４の内部に触れることなく容易に取り外すことができる。
【００２６】
尚、第一、第二実施例のほか、本発明の本体容器は切り欠き部８と穴１５の両方を有していてもよい。
【００２７】
以上のように、本発明の二重容器は、本体容器に設けられたストッパーリブと蓋に設けられたリブにより、内容器の浮き上がりを抑え、本体容器から脱落することを防止することができる。このため、本発明の二重容器は内容器の脱落防止のために他の部品を要せず、そのような他の部品を取り付ける手間が不要なため、取り付けや取り外しが簡単である。さらに、このような構成を採用することにより、使い捨ての容器である内容器は肉薄で非常にシンプルな形状とすることができるため低コストで製造することができる。
【産業上の利用可能性】
【００２８】
本発明の二重容器には、クリーム状、ゲル状の化粧品や軟膏等の薬剤のほか、ファンデーションなどの粉体状や半固形状の化粧品等にも使用することができる。また、旅行用として化粧品類を小分けする際にも使用することができる。
【符号の説明】
【００２９】
１、１’    二重容器
２、２’    本体容器
３    蓋
４    内容器
５    ストッパーリブ
６    フランジ
７    雄ねじ
８    切り欠き部
９    ジャー
１０  脚部
１１  肉盗み
１２  雌ねじ
１３  リブ
１４  勾配
１５  穴
【図１】
2011116401.tif 000003
【図２】
2011116401.tif 000004
【図３】
2011116401.tif 000005
【図４】
2011116401.tif 000006
【図５】
2011116401.tif 000007
【図６】
2011116401.tif 000008
【図７】
2011116401.tif 000009
【図８】
2011116401.tif 000010